Podtech/llm-jp-corpus-v4-ja_patent huggingface dataset:
【手続補正書】
【提出日】平成20年1月4日(2008.1.4)
【手続補正１】
【補正対象書類名】特許請求の範囲
【補正対象項目名】全文
【補正方法】変更
【補正の内容】
【特許請求の範囲】
【請求項１】
非木材建築用部品を処理することにより、シロアリが非木材材料及び／又は非セルロース系材料にトンネル及びチューブをつくるのを防止するための方法であって、
組成物を非木材建築用部品の表面に施用する工程を含み、
その際、該組成物がホウ酸塩成分を含む
前記方法。
【請求項２】
組成物が、グリコール、八ホウ酸二ナトリウム四水和物、及び水を含むホウ酸塩溶液であって、その際、該八ホウ酸二ナトリウム四水和物が、重量基準で該溶液の１０〜３０％を構成する、請求項１記載の方法。
【請求項３】
組成物を、シロアリが非木材建築用部品の表面全域でチューブを形成するのを防止するのに有効な量で施用する、請求項１記載の方法。
【請求項４】
組成物を、非木材建築用部品の外表面すべてに施用する、請求項１記載の方法。
【請求項５】
非木材建築用部品が、セメント質である、請求項１記載の方法。
【請求項６】
非木材建築用部品が、金属である、請求項１記載の方法。
【請求項７】
非木材建築用部品が、ポリマーである、請求項１記載の方法。
【請求項８】
溶液が、非木材建築用部品の内部全体には浸透しない、請求項１記載の方法。
【請求項９】
組成物が、ホウ酸、ホウ酸ナトリウム、ホウ酸亜鉛、ホウ酸カルシウム、ホウ酸ナトリウムカルシウム、ホウ酸カルシウムマグネシウム、及び有機ホウ酸塩からなる群から選択される化合物からのホウ酸塩を含む、請求項１記載の方法。
【請求項１０】
組成物を、スプレー、浸漬、はけ塗り、ローラー被覆、ミスト、フォーム、噴霧塗り、紛体被覆、圧力浸漬、又は気体の施用により施用する、請求項１記載の方法。
【請求項１１】
組成物を非木材建築用部品の表面に施用することが、組成物を、既に建築された又は部分的に建築された構造物の内部の壁及び／又は外部の壁に施用することを含む、請求項１記載の方法。
【請求項１２】
組成物を非木材建築用部品の表面に施用することが、組成物を、既に建築された構造物の空洞部に施用することを含む、請求項１記載の方法。
【請求項１３】
組成物を非木材建築用部品の表面に施用することが、組成物を、新しい又は現存する構造物のコンクリートスラブ又は基礎壁に施用することを含む、請求項１記載の方法。
【請求項１４】
組成物を非木材建築用部品の表面に施用することが、組成物を、外部の複数のユーティリティーが一つの構造物となっているバストラップ又は他の領域の中及びその周りの非木材材料に施用することを含む、請求項１記載の方法。
【請求項１５】
人工構造物に対するシロアリによる損傷を防止するための方法であって、次の工程：
ホウ酸塩を溶媒と混合して、ホウ酸塩溶液を形成し；
非木材建築用部品を入手し；
該非木材建築用部品を該ホウ酸塩溶液により被覆し；
該被覆済み非木材建築用部品を人工構造物中に組込む
工程を含む前記方法。
【請求項１６】
被覆済み非木材建築用部品を、地面と木材材料又はセルロース系材料との間の部分で人工構造物中に組込み、その際、該非木材建築用部品がシロアリが通過できない障害を形成する、請求項１５記載の方法。
【請求項１７】
防止すべきシロアリによる損傷が、Reticulitermes、Heterotermes、又はCoptotermes
により引き起こされる、請求項１５記載の方法。
【請求項１８】
ホウ酸塩溶液が、グリコール、八ホウ酸二ナトリウム四水和物、及び水を含み、その際、該八ホウ酸二ナトリウム四水和物が、重量基準で該溶液の１０〜３０％を構成する、請求項１５記載の方法。
【請求項１９】
ホウ酸塩溶液を、シロアリが建築用部品の表面全域でチューブを形成するのを防止するのに有効な量で施用する、請求項１５記載の方法。
【請求項２０】
ホウ酸塩溶液を、建築用部品の外表面すべてに施用する、請求項１５記載の方法。
【請求項２１】
建築用部品が、セメント質である、請求項１５記載の方法。
【請求項２２】
非木材建築用部品が、金属である、請求項１５記載の方法。
【請求項２３】
非木材建築用部品が、ポリマーである、請求項１５記載の方法。
【請求項２４】
非木材建築用部品上の被覆が、該非木材建築用部品の内部全体には浸透しない、請求項１５記載の方法。
【請求項２５】
ホウ酸塩が、ホウ酸、ホウ酸ナトリウム、ホウ酸亜鉛、ホウ酸カルシウム、ホウ酸ナトリウムカルシウム、ホウ酸カルシウムマグネシウム、及び有機ホウ酸塩からなる群から選択される化合物からのものである、請求項１５記載の方法。
【請求項２６】
ホウ酸塩溶液を、スプレー、浸漬、はけ塗り、ローラー被覆、ミスト、フォーム、噴霧塗り、紛体被覆、圧力浸漬、又は気体の施用により施用する、請求項１５記載の方法。
【請求項２７】
非木材基体；及び
ホウ酸塩を含む被覆
を含む非木材建築用部品であって、
該被覆が、該非木材基体の表面上に堆積されている、前記部品。
【請求項２８】
被覆が、シロアリが非木材基体の表面全域でチューブを形成するのを防止するのに有効な量のホウ酸塩を含む、請求項２７記載の非木材建築用部品。
【請求項２９】
被覆が、グリコール、八ホウ酸二ナトリウム四水和物、及び水を含む溶液として施用され、その際、該八ホウ酸二ナトリウム四水和物が、重量基準で該溶液の１０〜３０％を構成する、請求項２７記載の非木材建築用部品。
【請求項３０】
ホウ酸塩溶液を、非木材基体の接触可能表面すべてに施用する、請求項２７記載の非木材建築用部品。
【請求項３１】
非木材基体が、セメント質である、請求項２７記載の非木材建築用部品。
【請求項３２】
非木材建築用部品が、金属である、請求項２７記載の非木材建築用部品。
【請求項３３】
非木材建築用部品が、ポリマーである、請求項２７載の非木材建築用部品。
【請求項３４】
非木材基体上の被覆が、非木材基体の内部全体には浸透しない、請求項２７記載の非木材建築用部品。
【請求項３５】
ホウ酸塩が、ホウ酸、ホウ酸ナトリウム、ホウ酸亜鉛、ホウ酸カルシウム、ホウ酸ナトリウムカルシウム、ホウ酸カルシウムマグネシウム、及び有機ホウ酸塩からなる群から選択される化合物からのものである、請求項２７記載の非木材建築用部品。
【請求項３６】
被覆を、スプレー、浸漬、はけ塗り、ローラー被覆、ミスト、フォーム、噴霧塗り、紛体被覆、圧力浸漬、又は気体の施用により施用する、請求項２７記載の非木材建築用部品。
【請求項３７】
被覆が、土壌と構造物の台との間に、シロアリが通過できない完全な障害又は部分的な障害を形成する、請求項２７記載の非木材建築用部品。
【請求項３８】
更に、浸透最小化剤の被覆を含む、請求項２７記載の非木材建築用部品。
【手続補正書】
【提出日】平成19年11月16日(2007.11.16)
【手続補正１】
【補正対象書類名】特許請求の範囲
【補正対象項目名】請求項１
【補正方法】変更
【補正の内容】
【請求項１】
病院データベース及び複数の病院コンピュータを有する病院ネットワークに結合される、患者の画像を取得するための医用診断イメージングシステムであって、
前記イメージングシステム及び前記病院ネットワークに結合され、前記イメージングシステムを制御する制御手段を有し、
前記制御手段が、ディスプレイと、ユーザによって構築可能なアプリケーションデータベースと、前記ディスプレイに対話的なユーザインタフェース画面を表示するためのインタフェース手段と、を有し、
前記ユーザインタフェース画面は、ユーザが、前記ユーザインタフェース画面に表示されるアイコン及びボタンを少なくとも活性化することによって、前記アプリケーションデータベースを構築し、前記イメージングシステムを対話的に制御することを可能にする、システム。
【手続補正２】
【補正対象書類名】特許請求の範囲
【補正対象項目名】請求項２３
【補正方法】変更
【補正の内容】
【請求項２３】
病院アーカイブデータベース、コンピュータ、コンピュータディスプレイ及び診断スキャナと相互接続する病院ネットワークに結合された医用診断イメージングシステムであって、
（ａ）入力される患者の大きさ、患者年齢、放射線医の識別、放射線医の好み、並びにスキャンされる患者の性質及び領域に従って、利用可能なプロトコルのメニューから限られた数のプロトコルを選択し、前記限られた数のプロトコルの、オペレータとの対話形式の表示を生成するステップと、
（ｂ）選択されたスキャンプロトコルについて最も一般的に生成される画像のタイプ及びフォーマットに従って、データ取得中に後処理を自動的に始めるステップと、
（ｃ）前記オペレータによって選択されるプロトコルに従って、真空管電圧及び真空管電流を最適化するステップと、
（ｄ）現在検査を受けている患者のスキャンについて、前記病院アーカイブデータベースをサーチし、転送要求を待たずに自動的に、診断放射線医のディスプレイ端末に直接にアーカイブスキャンをルーティングするステップと、
（ｅ）現在検査がフォローアップ検査であるかどうか決定するために前記病院アーカイブデータベースをサーチし、以前のスキャンにおいて使用されたパラメータ及びスキャンプロトコルを決定し、同じパラメータ及びスキャンプロトコルを使用して前記フォローアップ検査を行うように前記スキャナを設定するステップと、
（ｆ）前記診断放射線医の好みを決定するために前記病院アーカイブデータベースをサーチし、前記診断放射線医の取り出された前記好みに従って、レベル、ズーム、スライス及びスラブ厚、ウィンドウイング及び他の表示特性を調整するステップと、
（ｇ）スライス画像のグループを、より少ない数のスラブ画像にをマージし、前記スラブ画像を順次に表示し、前記診断放射線医によって示される各スラブ画像に対応する個別のスライス画像を表示するステップと、
（ｈ）イメージングプロシージャ中、順次に前記オペレータを案内するために、前記オペレータに対して一連のプロンプトを生成するステップと、
（ｉ）対応するスキャナによって検査される各患者ごとの入力された患者情報及びスキャン情報を収集することによって、各スキャナごとに、デジタルログブックを自動的に生成するステップと、
（ｊ）スキャンプロシージャの初めに、リモートコンピュータ又はＰＤＡから以前に提示されたスキャンプロトコル情報を自動的にアップロードするステップと、
のうちの少なくとも１つを実施するようにプログラムされるコンピュータを有する、システム。
【手続補正書】
【提出日】平成19年11月14日(2007.11.14)
【手続補正１】
【補正対象書類名】特許請求の範囲
【補正対象項目名】請求項１２
【補正方法】変更
【補正の内容】
【請求項１２】
冷却された溶剤に上記成分あるいは過分極化原子核を溶解しおよび該溶剤の脱気を行う各段階を少なくとも１度繰り返す請求項１〜１１のいずれか一つに記載の方法。
【手続補正２】
【補正対象書類名】明細書
【補正対象項目名】００７４
【補正方法】変更
【補正の内容】
【００７４】
貯蔵器９の内壁は、過分極化原子核の緩和時間を延長するためにＰＦＡまたはモノクロロシランで被覆されている。原則として全てのチャンバー、および装置間の連結導管はこのように形成されていてもよい。
【手続補正３】
【補正対象書類名】明細書
【補正対象項目名】００８５
【補正方法】変更
【補正の内容】
【００８５】
１・・・過分極化原子核を含有するガス混合物１
２、６・・・溶剤含有チャンバー
５、８・・・脱気用チャンバー
７・・・    溶剤冷却装置
９・・・    貯蔵器
１０・・・  圧力平衡容器
１１・・・冷却蛇管
１３・・・溶剤貯蔵容器
１４・・・廃棄液用容器
【手続補正書】
【提出日】平成19年11月19日(2007.11.19)
【手続補正１】
【補正対象書類名】特許請求の範囲
【補正対象項目名】全文
【補正方法】変更
【補正の内容】
【特許請求の範囲】
【請求項１】
複数のセンサから発生する、複数の生理学的プロセスからの成分を含むセンサ信号を処理する方法であって、
アーチファクト成分に対して強化された生理学的成分を有する第1の強化信号を生成するために前記センサ信号を適応的に強化する段階と、
他の生理学的プロセスから発生する成分に対して強化された選択された生理学的プロセスから発生する成分を有する出力を生成するために前記第1の強化された信号を適応的に強化する段階と、
を含むことを特徴とする方法。
【請求項２】
前記信号は、少なくとも部分的には、立っている、又は歩いている、又は走っている、又は登っている、又は座っている、又は横たわっている、又は眠っているのうちの１つ又はそれよりも多くを含む、拘束されない活動の期間から発生する、ことを特徴とする請求項１に記載の方法。
【請求項３】
前記センサ信号は、少なくとも部分的には、呼吸プロセス、心臓の機械的プロセス、心臓の電気的プロセス、または脳波プロセスのうちの１つ又はそれよりも多くを含むものであって、
前記アーチファクト成分が少なくとも部分的には、被験者の運動または電磁干渉の少なくとも１つ以上から発生することを特徴とする請求項１に記載の方法。
【請求項４】
前記第１の強化された信号において、前記選択された生理学的プロセスが心臓の機械的プロセス、呼吸プロセス、及び脳波プロセスのいずれかを含んでおり、
前記他の生理学的プロセスが呼吸プロセスを含んでいることを特徴とする請求項１に記載の方法。
【請求項５】
他の成分に対する入力信号における選択された信号を適合的に強化する段階がさらに前記他の成分の特性と部分的には独立して調整される調整可能な特性を有するフィルタを用いて前記入力信号をフィルタリングする段階を有することを特徴とする請求項１に記載の方法。
【請求項６】
前記フィルタ特性が、少なくとも部分的には、前記入力信号と前記他の成分を含む基準信号との相違であるエラー信号を減少するように調整されることを特徴とする請求項５に記載の方法。
【請求項７】
前記入力信号または基準信号が単一の共通のサンプリングレートでサンプリングまたは再サンプリングされることを特徴とする請求項６に記載の方法。
【請求項８】
前記前記入力信号または基準信号が一定のベースラインを持つようにトレンド除去されることを特徴とする請求項６に記載の方法。
【請求項９】
前記フィルタ特性が最小二乗法によって有限インパルス応答フィルタの重みを調整することを含むことを特徴とする請求項６に記載の方法。
【請求項１０】
生理学的センサ信号データを処理するためのシステムであって、
複数の生理学的プロセス及びアーチファクトの双方から発生する成分を含むセンサ信号を生成するセンサを含む着用可能な構成と、
アーチファクトに対して強化された生理学的成分を含む第１の強化された信号を生成するための前記センサ信号を適合的に強化する段階と、
他の生理学的プロセスから発生する成分に対して強化された選択された生理学的プロセスを発生する成分を含む第２の強化された信号を生成するために前記第１の強化された信号を適合的に強化する段階と、
前記第２の強化された信号を出力する段階とを実行する前記センサに動作的に結合されたプログラム可能装置と、
を含むことを特徴とするシステム。
【請求項１１】
前記着用可能な構成は、身体部分を取り囲むためのバンド、又は胴体ための衣服を含むことを特徴とする請求項１０に記載のシステム。
【請求項１２】
他の成分を伴う前記選択された成分を含む信号における選択された成分を前記適合的に強化する段階が、前記信号と、前記他の成分を含む基準信号とを一緒に処理する段階を含むことを特徴とする請求項１０に記載のシステム。
【請求項１３】
前記センサ信号が心臓の収縮と拡張から発生する前胸部の鼓動を含み、前記出力信号が呼吸プロセス及びアーチファクトから発生する成分に対して強化された前記心臓鼓動成分を含むことを特徴とする請求項１０に記載のシステム。
【請求項１４】
前記プログラム可能装置がさらに出力信号の一時的にアンサンブル平均を行うことを特徴とする請求項１３に記載のシステム。
【請求項１５】
前記センサ信号が脳波プロセスから発生する成分を含み、前記出力信号が呼吸プロセス及びアーチファクトから発生する成分に対して強化された前記脳波成分を含むことを特徴とする請求項１０に記載のシステム。
【請求項１６】
前記プログラム可能装置が前記脳波をさらにローパスフィルタ濾過し、該ローパスフィルタが呼吸信号に存在する周波数の範囲内において少なくともこれらの周波数を通過させるようになっていることを特徴とする請求項１５に記載のシステム。
【請求項１７】
前記センサ信号がさらに心電図（ＥＣＧ）信号を含んでおり、前記出力信号が（ｉ）前記呼吸成分が非呼吸成分に対して強化されている前記ＥＣＧ信号を含む高周波心拍変動（ＨＦ  ＨＲＶ）と、（ｉｉ）非呼吸成分が呼吸成分に対して強化されている前記ＥＣＧ信号を含む低周波心拍変動（ＬＦ  ＨＲＶ）信号とを含んでいることを特徴とする請求項１０に記載のシステム。
【請求項１８】
前記前記プログラム可能装置がさらに前記ＥＣＧ信号とＨＦ  ＨＲＶ信号との差を計算することによって前記ＬＦ  ＨＲＶを生成することを特徴とする請求項１７に記載のシステム。
【請求項１９】
前記前記プログラム可能装置がさらに前記ＨＦ  ＨＲＶ信号と前記ＬＦ  ＨＲＶ信号の１つ以上をトレンド除去しかつスペクトル解析を行うことを特徴とする請求項１７に記載のシステム。
【請求項２０】
前記前記プログラム可能装置がさらに前記ＥＣＧ信号内及び前記ＬＦ  ＨＲＶで測定されたＱＴ間隔に独立の１つ又はそれよりも多くの補正ＱＴ間隔を推定することを特徴とする請求項１７に記載のシステム。
【請求項２１】
前記補正ＱＴ間隔は、
2007521852.tif 000001
または、
ＱＴLC＝Ｑｔ＋０．１５４（１−ＲＲ）
と実質的に同様の式を使用して推定されることを特徴とする請求項２１に記載のシステム。
【手続補正書】
【提出日】平成19年11月20日(2007.11.20)
【手続補正１】
【補正対象書類名】特許請求の範囲
【補正対象項目名】全文
【補正方法】変更
【補正の内容】
【特許請求の範囲】
【請求項１】
第一材料及び前記第一材料の少なくとも一部の全体にわたって分散された第二材料を含有する吸収製品を製造するための装置であって、
−  周囲表面に沿って空気透過性手段を与えられた回転形成車輪（１３）、
−  少なくとも前記第一材料の繊維と前記第二材料の粒子の混合物を前記形成車輪（１３）の前記表面の方へ向けて少なくとも前記繊維と前記粒子の混合物の層を前記形成車輪（１３）の前記表面の第一弧に沿って付着するための手段、
を含むものにおいて、
形成車輪（１３）の周囲表面の第二弧に沿って空気透過性ベルト（２１）が与えられ、前記ベルト（２１）が形成された前記第一及び第二材料の少なくとも一つの層を上に支持し、かつ形成車輪（１３）の表面と同じスピードで走行し、かくして前記形成された層の繊維及び粒子を形成車輪（１３）上の定位置に保持することを特徴とする装置。
【請求項２】
前記手段が少なくとも前記第一材料の繊維を受けるための前記表面の前記第一弧に沿った少なくとも一つの形成チャンバー（１２ａ，１２ｂ）、及び流れ（１５）中の前記第一材料の繊維を形成車輪（１３）の前記表面の方へ向けて前記表面上に前記繊維の層を付着するための吸引手段を含み、前記形成チャンバー（１２ａ，１２ｂ）の少なくとも一つが前記第一材料の繊維と前記第二材料の粒子の混合物を与えられる請求項１に記載の装置。
【請求項３】
前記第一材料の繊維及び第二材料の粒子の両方を与えられた少なくとも一つの形成チャンバー（１３）が前記流れ（１５）中への前記第二材料の粒子の導入のための別個の入口（１７）を有する請求項２に記載の装置。
【請求項４】
繊維を形成車輪（１３）の方へ向けるための前記吸引手段が形成車輪（１３）の周囲の内側に少なくとも一つの非回転第一吸引ボックス（１４）を含み、前記少なくとも一つの吸引ボックス（１４）が前記形成チャンバー（１２ａ，１２ｂ）に対面し、かつ前記流れ（１５）を生成するために減圧を与えられ、かくして形成チャンバー（１２ａ，１２ｂ）からの繊維を形成車輪（１３）上の空気透過性手段の方向に吸引する請求項２又は３に記載の装置。
【請求項５】
第一吸引ボックス（１４）が各形成チャンバー（１２ａ，１２ｂ）のために与えられる請求項４に記載の装置。
【請求項６】
第一材料がパルプ繊維である請求項１〜５のいずれかに記載の装置。
【請求項７】
第二材料の粒子が超吸収ポリマー又は熱活性可能な結合材料の粒子又は繊維である請求項１〜６のいずれかに記載の装置。
【請求項８】
前記空気透過性手段がネット、穴を与えられたプレート、空気透過性布からなる少なくとも一つの部材を含む請求項１〜７のいずれかに記載の装置。
【請求項９】
形成車輪（１３）の周囲表面が連続した型（１６）又は多数の分離した型（１６）を表面に沿って与えられる請求項１〜８のいずれかに記載の装置。
【請求項１０】
非回転第二吸引ボックス（２０）が形成車輪（１３）の周囲の内側に与えられ、前記第二吸引ボックス（２０）が形成車輪（１３）の周囲の前記第二弧に沿って配置されかつ減圧を与えられ、かくして形成車輪（１３）の表面上の空気透過性手段に対して形成された層を吸引する請求項１〜９のいずれかに記載の装置。
【請求項１１】
前記ベルト（２１）が前記第二吸引ボックス（２０）に面するように配置される請求項１０に記載の装置。
【請求項１２】
前記吸引ボックス（２９）がベルトでカバーされた形成車輪（１３）の第二弧の部分だけに延びる請求項１１に記載の装置。
【請求項１３】
前記ベルト（２１）が支持ロール（２２）によって支持されかつ閉ループ内で走行する無端ベルトである請求項１〜１２のいずれかに記載の装置。
【請求項１４】
前記ロール（２２）の少なくとも一つがベルト（２１）が予め決められた力で形成車輪（１３）に対して押圧するように前記ベルト（２１）上の弾性力を用いてベルトを延伸させるように配置される請求項１３に記載の装置。
【請求項１５】
ベルト（２１）が形成車輪（１３）の型（１６）を横方向にカバーするのに十分に広い幅を有する請求項１０〜１４のいずれかに記載の装置。
【請求項１６】
衛生ナプキン、おむつ、用便練習用パンツ、失禁パッドの群から選択された吸収製品における吸収芯（Ｃ）を作るための請求項１〜１５のいずれかに記載の装置の使用。
【請求項１７】
第一材料及び前記第一材料の少なくとも一部の全体にわたって分散された第二材料を含有する吸収構造体を製造するための方法であって、下記工程を含む方法：
−  周囲表面に沿って空気透過性手段を有する形成車輪（１３）を与える；
−  前記形成車輪（１３）を回転する；
−  少なくとも一つの形成チャンバー（１２ａ，１２ｂ）を前記表面の第一弧に沿って配置する；
−  前記形成チャンバー（１２ａ，１２ｂ）において前記第一材料の繊維を受ける；
−  流れ（１５）における前記第一材料の前記繊維を形成車輪（１３）の前記表面の方へ向ける；
−  前記形成チャンバー（１２ａ，１２ｂ）の少なくとも一つにおいて前記第二材料の粒子を前記流れ（１５）に導入する；
−  少なくとも前記第一及び前記第二材料の層を前記表面上に付着する；
−  少なくとも一つの型（１６）を前記周囲表面に沿って与える；
−  形成車輪（１３）の表面と実質的に同じスピードで走行するベルト（２１）で形成車輪（１３）の第二弧に沿って前記型（１６）をカバーする。
【請求項１８】
前記ベルト（２１）を空気透過性にするように配置する工程をさらに含む請求項１７に記載の方法。
【請求項１９】
前記ベルト（２１）を閉ループで走行するように配置する工程をさらに含む請求項１７又は１８に記載の方法。
【請求項２０】
前記ベルト（２１）が前記表面上の前記少なくとも一つの型（１６）において第一及び第二材料の層に対して押圧するように前記ベルト（２１）を延伸する工程をさらに含む請求項１７〜１９のいずれかに記載の方法。
【請求項２１】
吸収製品における一つより多い層からなる吸収芯（Ｃ）の製造のための請求項１〜１６のいずれかに記載の装置の使用であって、装置が形成車輪（１３）一つあたり少なくとも一つの層の製造のための多数の形成車輪（１３）を含み、各形成車輪（１３）が前記ベルト（２１）を与えられる使用。
【手続補正書】
【提出日】平成20年2月8日(2008.2.8)
【手続補正１】
【補正対象書類名】特許請求の範囲
【補正対象項目名】全文
【補正方法】変更
【補正の内容】
【特許請求の範囲】
【請求項１】
キャリアに回転自在に連結された複数の第１および第２のシャフトであって、互いに実質的に平行となって分離距離をもって放射状に離間されたシャフトと；
前記第１のシャフトに取着された土壌通気用歯の第１のセットであって、該第１のセット中の各歯が、回転面を有した第１のセットの１つにおいて、地面に対して回転する土壌通気用歯の第１のセットと；
前記第２のシャフトに取着された土壌通気用歯の第２のセットであって、該第２のセット中の各歯が、回転面を有した第２のセットの１つにおいて、地面に対して回転し、該回転面を有した第２のセットのいずれも該回転面を有した第１のセットのいずれとも重なり合うことがないようになっている土壌通気用歯の第２のセットと；
を具備してなる土壌通気のための装置。
【請求項２】
前記通気用歯の第１のセット中の各歯が前記第１のシャフトから径方向に、前記分離距離の１／２よりも大きい距離をもって延出し、前記通気用歯の第２のセット中の各歯が前記第２のシャフトから径方向に、前記分離距離の１／２よりも大きい距離をもって延出している請求項１記載の装置。
【請求項３】
前記キャリアの中心軸に沿って該キャリアに固定して接続された支持シャフトを更に具備してなる請求項１記載の装置。
【請求項４】
前記第１のシャフトが前記支持シャフトからずらして配置され、前記通気用歯の第１のセットが該支持シャフトに干渉することなく該第１のシャフトを中心として回転動作が自在になっている請求項３記載の装置。
【請求項５】
前記第２のシャフトが前記支持シャフトからずらして配置され、前記通気用歯の第２のセットが該支持シャフトに干渉することなく該第２のシャフトを中心として回転動作が自在になっている請求項３記載の装置。
【請求項６】
前記土壌通気用歯が地面から侵入し、土壌の一部を除去するように動作自在となっている請求項１記載の装置。
【請求項７】
前方端部と、後方端部とを有するフレームアッセンブリーと；
該フレームアッセンブリーに接続された通気装置と；
前記フレームアッセンブリーを支持するための前方車軸部材であって、通気装置の前方に配置されている前方車軸部材と；
前記フレームアッセンブリーを支持するための後方車軸部材であって、通気装置の後方に配置されている後方車軸部材と；
前記フレームアッセンブリーに接続された重量移動システムであって、
前記フレームアッセンブリーと通気装置の合同された重量の一部を前方車軸部材又は後方車軸部材に移動させるため、前記フレームアッセンブリーにモーメントを作用する付勢部材を有する重量移動システムと；
を具備し、前記フレームアッセンブリーがヒンジを備え、前記通気装置は、前記重量移動システムにより前記ヒンジ軸廻りに押されてなる土壌エアレータ。
【請求項８】
前記前方車軸部材の少なくとも１つがローラに接続されている請求項７記載の土壌エアレータ。
【請求項９】
第２の後方車軸部材を更に具備してなり、各後方車軸部材が車輪に接続されている請求項８記載の土壌エアレータ。
【請求項１０】
前記重量移動システムが更に、前記フレームアッセンブリーに接続された第１のバネ部材を有する請求項７記載の土壌エアレータ。
【請求項１１】
前記重量移動システムが更に、前記後方車軸部材および通気装置に接続された第２のバネ部材を有する請求項１０記載の土壌エアレータ。
【請求項１２】
前記重量移動システムが通気装置の重量の可変部分を前記前方車軸部材および前記後方車軸部材の少なくとも一方に移動させ、それにより、通気装置のヘッド重量を変化させるようにしている請求項７記載の土壌エアレータ。
【請求項１３】
少なくとも２つの後方車軸部材を有し、その夫々が別々のサスペンションシステムにより前記フレームに連結されている請求項７記載の土壌エアレータ。
【請求項１４】
前記重量移動システムが、フレームアッセンブリーに反対のモーメントを作用する少なくとも２つのバネ部材を有するようにした請求項７記載の土壌エアレータ。
【請求項１５】
前記重量移動システムが定荷重バネを有する請求項７記載の土壌エアレータ。
【請求項１６】
前記土壌通気装置が、通気用歯を保持する複数の歯保持シャフトを回転させかつ移動させる遊星ギアシステムを有する請求項７記載の土壌エアレータ。
【請求項１７】
各通気用歯が弓形土壌破砕エッジを含む請求項７記載の土壌エアレータ。
【請求項１８】
フレームに移動自在に接続され、歯用ラックに装着された１セットの通気用歯を有する通気用サブアッセンブリーであって、該通気用歯が地面に通気ポケットを形成するように地面に対して自転と公転の複合された動作可能とされた通気用サブアッセンブリーと；
該通気用サブアッセンブリーに接続され、第１の操作位置と第２の操作位置との間において移動するように操作可能とされた調整部材と；
を具備してなり、
該調整部材が前記第１の操作位置に移動された時、前記歯用ラックが地面に接近し、前記通気用歯が地面と接触するように動作可能とされ、
前記調整部材が該第２の操作位置に移動された時、前記通気用サブアッセンブリーを地面から離昇させることなく、前記通気用歯が地面との接触を回避するように動作可能とされたエアレータ。
【請求項１９】
前記通気用サブアッセンブリーの接続したギアシステムを更に具備してなり、該ギアシステムが前記歯用ラックに接続された少なくとも１つのギアを有し、回転動作を前記歯用ラックに伝えるようにした請求項１８記載のエアレータ。
【請求項２０】
前記調整部材が前記ギアシステムを第１のタイミング位置と、第２のタイミング位置との間において移動させるよう操作されるものである請求項１９記載のエアレータ。
【請求項２１】
前記調整部材が第１の操作位置に移動したとき、前記ギアシステムが前記第１のタイミング位置に調整されるようにした請求項２０記載のエアレータ。
【請求項２２】
前記調整部材が第２の操作位置に移動したとき、前記ギアシステムが前記第２のタイミング位置に調整されるようにした請求項２０記載のエアレータ。
【請求項２３】
前記調整部材がエネルギー調節システムに接続されていて、前記ギアシステムに逃げを付与するようにした請求項２０記載のエアレータ。
【請求項２４】
前記通気用歯の１つ又はそれ以上が地面からの衝撃を受けたときに、前記エネルギー調節システムが前記ギアシステムに逃げを付与するようにした請求項２３記載のエアレータ。
【請求項２５】
前記エネルギー調節システムが少なくとも１つのバネ装置を有する請求項２３記載のエアレータ。
【請求項２６】
前記調整部材が前記ギアシステムのサンギアに接続されている請求項１９記載のエアレータ。
【請求項２７】
前記調整部材が、前記フレームとの関係で前記サンギアを定常状態位置に移動させるよう操作されるようになっている請求項２６記載のエアレータ。
【手続補正書】
【提出日】平成19年11月21日(2007.11.21)
【手続補正１】
【補正対象書類名】特許請求の範囲
【補正対象項目名】全文
【補正方法】変更
【補正の内容】
【特許請求の範囲】
【請求項１】
クロマチン／ＤＮＡおよび動物精子の完全性を評価する方法であって、
ａ）精子を含むサンプルをＤＮＡ変性溶液の溶液で処理する段階と、
ｂ）核たんぱく質類を抽出するための溶解溶液により一回処理する段階と、
ｃ）前記精子のクロマチン／ＤＮＡの完全性を評価する段階と、
を含み、前記溶解溶液は、たんぱく質変性界面活性剤を含まず、必然的に前記精子の尾部を破壊しないことを特徴とする方法。
【請求項２】
前記段階ａ）がｂ）より前であるかまたはそれがｂ）およびｃ）の前であることを特徴とする請求項１記載の方法。
【請求項３】
前記溶解溶液が、非イオン性、非たんぱく質変性界面活性剤を含むことを特徴とする請求項１または２記載の方法。
【請求項４】
前記非イオン性界面活性剤が、トクチルフェノキシポリエトキシエタノール（トリトンＸ−１００）、Ｎ，Ｎ−ビス（３−Ｄ−グルコンアミドプロピル）コラミド（ｂｉｇＣＨＡＰ）、Ｂｒｉｊ（ｒ）３５Ｐ、Ｎ−デカノイル−Ｎ−メチルグルカミン、ジギトニン、ドデカノイル−Ｎ−メチルグルカミド、ヘプタノイル−Ｎ−メチルグルカミド、分枝オクチルフェノキシポリ（エチレンオキシ）エタノール（イゲパルＣＡ−６３０）、Ｎ−ノナノイル−Ｎ−メチルグルカミン、ノニデットＰ４０、Ｎ−オクタノイル−Ｎ−メチルグルカミン、スパン２０溶液、ポリソルベート２０（Ｔｗｅｅｎ２０）およびそれらの混合物類から選択されることを特徴とする請求項１〜３記載の方法。
【請求項５】
前記非イオン性界面活性剤が、トリトンＸ−１００であることを特徴とする請求項４記載の方法。
【請求項６】
前記溶解溶液が、１〜３Ｍの塩化ナトリウム、０．００１〜２Ｍのジチオスレイトール（ＤＴＴ）、０．００１Ｍ〜２Ｍの２−アミノ−２（ハイドロキシメチル）−１，３−プロパンジオール（Ｔｒｉｓ）および０．１％〜３％のトリトンＸ−１００を含むことを特徴とする請求項１〜５記載の方法。
【請求項７】
前記溶解溶液が、２．５ＭのＮａＣｌ、約０．２ＭのＤＴＴ、約０．２ＭのＴｒｉｓ、約１％でトリトンＸ−１００を含みかつ約７．５のｐＨを有することを特徴とする請求項１〜６記載の方法。
【請求項８】
前記ＤＮＡ変性溶液が酸性であることを特徴とする請求項１〜７記載の方法。
【請求項９】
前記ＤＮＡ変性溶液が、塩酸、酢酸、硝酸群またはこれらの混合物類から選択した酸を含むことを特徴とする請求項８記載の方法。
【請求項１０】
前記ＤＮＡ変性溶液が塩酸を含むことを特徴とする請求項９記載の方法。
【請求項１１】
前記段階ａ）およびｂ）の後にサンプル染色段階があることを特徴とする請求項１〜１０記載の方法。
【請求項１２】
前記染色がライト（Ｗｒｉｇｈｔ）タイプ溶液により行われることを特徴とする請求項１１記載の方法。
【請求項１３】
前記精子を含むサンプルが、懸濁液に類似の媒体に含まれることを特徴とする請求項１〜１２記載の方法。
【請求項１４】
前記精子を含むサンプルが、ミクロゲル中に含まれることを特徴とする請求項１３記載の方法。
【請求項１５】
前記精子を含むサンプルが、アガロースミクロゲル中に含まれることを特徴とする請求項１３記載の方法。
【請求項１６】
動物精子の品質を評価するためのキットであって、
ａ）ＤＮＡ変性溶液と、
ｂ）核たんぱく質類を抽出するための溶解溶液と、
を含み、前記溶解溶液は、たんぱく質変性界面活性剤を含まず、必然的に前記精子の尾部を破壊しないことを特徴とするキット。
【請求項１７】
前記溶解溶液が、１Ｍ〜３Ｍの塩化ナトリウム、０．００１Ｍ〜２Ｍのジチオスレイトール（ＤＴＴ）、０．００１Ｍ〜２Ｍの２−アミノ−２（ハイドロキシメチル）−１，３プロパンジオール（Ｔｒｉｓ）および０．１％〜３％のトリトンＸ−１００を含むことを特徴とする請求項１６記載のキット。
【手続補正書】
【提出日】平成20年3月31日(2008.3.31)
【手続補正１】
【補正対象書類名】特許請求の範囲
【補正対象項目名】請求項１２
【補正方法】変更
【補正の内容】
【請求項１２】
有効量の請求項５に記載の組成物を含む、癌であるか癌であると疑われる患者を処置するための医薬組成物。
【手続補正２】
【補正対象書類名】特許請求の範囲
【補正対象項目名】請求項１３
【補正方法】変更
【補正の内容】
【請求項１３】
有効量の請求項１１に記載の組成物を含む、癌であるか癌であると疑われる患者を処置するための医薬組成物。
【手続補正３】
【補正対象書類名】特許請求の範囲
【補正対象項目名】請求項１８
【補正方法】変更
【補正の内容】
【請求項１８】
有効量のニコチンアミドリボシド組成物を含む、ＮＡＤ＋生合成のニコチンアミドリボシドキナーゼ経路に関連する疾患または状態を予防または処置するための栄養補助食品組成物。
【手続補正４】
【補正対象書類名】特許請求の範囲
【補正対象項目名】請求項１９
【補正方法】変更
【補正の内容】
【請求項１９】
疾患または状態が脂質障害または発作である、請求項１８に記載の栄養補助食品組成物。
【手続補正５】
【補正対象書類名】特許請求の範囲
【補正対象項目名】請求項２０
【補正方法】変更
【補正の内容】
【請求項２０】
有効量のトリプトファン、ニコチン酸またはニコチンアミドをさらに含む、請求項１８に記載の栄養補助食品組成物。
【手続補正書】
【提出日】平成19年11月15日(2007.11.15)
【手続補正１】
【補正対象書類名】特許請求の範囲
【補正対象項目名】全文
【補正方法】変更
【補正の内容】
【特許請求の範囲】
【請求項１】
（ａ）（ｉ）５５〜９０のショアＤ硬さを有する熱可塑性ポリマーと、ポリシロキサン潤滑剤と、炭化ケイ素研磨粒子とを含み、ブラシの中央部と一体成形された複数の剛毛と、
（ｉｉ）０．０６２５インチ〜１．５インチの長さを有する前記複数の剛毛と、
を含むブラシを提供する工程と、
（ｂ）銅表面を含みかつ貫通するアパーチャを有する印刷回路基板の表面と前記ブラシを接触させる工程と、
（ｃ）前記表面をリファインして、０．０５〜０．３マイクロメートルＲａの表面仕上げを有する銅表面を提供する工程と、
を含む印刷回路基板の表面のリファイン方法。
【請求項２】
ブラシを提供する前記工程が、
（ａ）２〜２０重量％のポリシロキサン潤滑剤を含む剛毛を有するブラシを提供する工程を含む、請求項１に記載の方法。
【手続補正書】
【提出日】平成19年12月21日(2007.12.21)
【手続補正１】
【補正対象書類名】特許請求の範囲
【補正対象項目名】全文
【補正方法】変更
【補正の内容】
【特許請求の範囲】
【請求項１】
高分子電解質膜（ＰＥＭ）内の水和水を測定するための装置であって、
前記ＰＥＭ上の入力部位に向けられた入力放射線源と、
前記入力部位に相対して出力部位に応答可能に配置されて、前記ＰＥＭ内の水の水和レベルを示す前記入力放射線における検知可能な変化を測定する検出器と、
を含む装置。
【請求項２】
前記放射線が、赤外線、近赤外線、可視光線及び紫外線の少なくとも１つである、請求項１記載の装置。
【請求項３】
前記検知可能な変化が、吸収、蛍光及び屈折率の少なくとも１つにおける変化である、請求項１記載の装置。
【請求項４】
前記入力放射線を前記入力部位に伝送するための手段と、
前記検知可能に変化した入力放射線を前記検出器に伝送する手段と、
を含む、請求項１記載の装置。
【請求項５】
前記ＰＥＭが、前記入力放射線に対応して蛍光を生成するように作用する蛍光体を含む、請求項１記載の装置。
【請求項６】
前記ＰＥＭが、燃料電池内にあり、前記ＰＥＭ内に存在する水和水の関数として前記燃料電池の温度を測定するための手段をさらに含む、請求項１記載の装置。
【請求項７】
前記ＰＥＭが、対向する表面を有し、前記対向する表面の各々上に配置された電極材料を含み、前記入力及び出力部位が、前記接触層の選択した接触層内に形成された少なくとも１つの開口部を含み、前記接触層の選択した接触層内の開口部を通して入力光が発射されまた出力光が受光される、請求項１記載の装置。
【請求項８】
選択した材料で形成された高分子電解質膜（ＰＥＭ）の水和を測定する方法であって、
前記ＰＥＭ内に入力部位を形成する段階と、
放射線源を前記入力部位内に発射して前記ＰＥＭ材料と相互作用させる段階と、
前記ＰＥＭ材料との前記入力放射線の相互作用を検出する段階と、
前記ＰＥＭ内の水の水和レベルを示す前記相互作用の結果として前記入力放射線内の検知可能な変化を測定する段階と、
を含む方法。
【請求項９】
前記検知可能な変化が、前記入力放射線の吸収及び蛍光の少なくとも１つにおける変化である、請求項８記載の方法。
【請求項１０】
前記ＰＥＭがその対向する表面上に導電性被膜を有し、前記入力部位を形成する段階が、前記ＰＥＭ上の少なくとも１つの電極内に窓を形成する段階を含む、請求項８記載の方法。
【手続補正書】
【提出日】平成20年2月1日(2008.2.1)
【手続補正１】
【補正対象書類名】特許請求の範囲
【補正対象項目名】全文
【補正方法】変更
【補正の内容】
【特許請求の範囲】
【請求項１】
流体試料の分析のためのセンサであって、
試料流体を受け入れるための試料キャビティと、
前記試料キャビティに沿って配置された、少なくとも１つの試験区域と、
前記試料キャビティに通ずる、少なくとも１つのベントであって、前記試料流体を前記少なくとも１つの試験区域に案内する、少なくとも１つの試料ガイドエッジを有する、少なくとも１つのベントと、を含むセンサ。
【請求項２】
前記試験区域に向かって、前記試料流体を案内するための整列された試料ガイドエッジを有する複数のベントを有する、請求項１記載のセンサ。
【請求項３】
前記少なくとも１つのベントが、前記試料キャビティ内に流体経路を形成するように、互いに間隔をおいた互い違いの２つのベントを含む、請求項１記載のセンサ。
【請求項４】
前記少なくとも１つの試験区域が、２つの電極を含む、請求項１記載のセンサ。
【請求項５】
試料流体を収集し、前記試料流体の分析のために、試験センサ内で試料流体を位置づけする方法であって、
毛管現象により、試料キャビティ内に前記試料流体を受け入れることと、
前記試料キャビティに通ずる、少なくとも１つのベント上に備えられた、少なくとも１つの試料ガイドエッジを用いて、前記試料キャビティを通して、前記センサの少なくとも１つの試験区域に向かって前記試料流体を導くことと
を含む方法。
【請求項６】
前記少なくとも１つのベントが、２つのベントを含む、請求項５記載の方法。
【請求項７】
前記２つのベントが、前記試料キャビティ内部に沿って互い違いの位置に配置され、さらに前記試料流体を、流体経路に沿って導くことを含む、請求項６記載の方法。
【請求項８】
流体試料の分析のためのセンサであって、
試料流体を受け入れるための、流体流入口を有する試料キャビティと、
前記試料キャビティ内の第１および第２のベントであって、各々に第１および第２のベント縁部を有し、前記第１のベントが前記第２のベントよりも前記流体流入口に近づくように、前記試料キャビティの流体経路に沿って配置された第１及び第２のベントと、
前記第１のベントの下に、前記試料キャビティに沿って配置された第１の試薬領域と、
前記第２のベントの下に、前記試料キャビティに沿って配置された第２の試薬領域と
を含むセンサ。
【請求項９】
流体試料の分析のための方法であって、
毛管現象により、試料キャビティ内に前記試料流体を受け入れることであって、前記試料キャビティが流体流入口と、流体経路に沿って配置された第１および第２のベントとを有し、前記試料キャビティはさらに前記第１のベントの下に配置された第１の試薬領域、および前記第２のベントの下に配置された第２の試薬領域を有し、前記第１および第２のベントが第１および第２のベント縁部を有して、前記試料流体を受け入れることと、
前記第２のベントを通過する前に、前記流体が前記第１のベントを通過するように、毛管現象により前記流体経路に沿って前記流体試料を案内することと、
前記試料流体がまず、前記第１のベントの下の第１の容量を充填し、その後前記第２のベントの下の第２の容量を充填するように、前記試料キャビティを充填することと
を含む方法。
【請求項１０】
流体試料の分析のためのセンサであって、
ベース層と、
前記ベース層に支持された電極層であって、第１の電極および第２の電極を有し、前記第１および第２の電極はそれぞれ、第１及び第２の電極リードから延出し、中心部を有する電極層と、
前記電極層の上に配置されたカバー層であって、試料キャビティを画定する突起を有するカバー層と、
前記試料キャビティと流体的に連通する流体流入領域と、
第１および第２のベントであって、前記第１のベントが第１のガイドエッジを有し、および前記第２のベントが前記第１のガイドエッジに対向する第２のガイドエッジを有し、前記第１および第２のガイドエッジが、前記第１および第２の電極の少なくとも１つの前記中央部の上で、互いに対向する第１及び第２のベントを含むセンサ。
【手続補正書】
【提出日】平成19年11月19日(2007.11.19)
【手続補正１】
【補正対象書類名】特許請求の範囲
【補正対象項目名】全文
【補正方法】変更
【補正の内容】
【特許請求の範囲】
【請求項１】
出力パワーを有するレーザービームを生成するレーザーと、該レーザーに駆動電流を供給する主電流供給源とを含んでいるレーザー供給源と、
該出力パワーを検出するフォトダイオードを含んでいるフィードバック回路であって、該主電流供給源に該駆動電流を制御するためのフィードバック信号を供給するフィードバック回路と、
該レーザービームを掃引することにより、１つの方向に沿って入れて配置されている複数のピクセルを有する走査線を形成するスキャナであって、該１つの方向に直交する別の方向に沿って該走査線を掃引することにより、投影面に走査線のラスターパターンを形成するスキャナと、
該駆動電流および該レーザービームを変調して、該走査線上の選択されたピクセルを照らすことにより、該投影面に画像を形成するための出力制御信号に入力画像データを変換する変調器を含んでいるコントローラと
を備えている、画像を投影するための配列。
【請求項２】
前記駆動電流は、前記主電流供給源のバイアス電流である、請求項１に記載の配列。
【請求項３】
前記コントローラは、前記変調器によって制御される別の電流供給源であって、前記画像データによって変調された別のバイアス電流を前記レーザーに供給する別の電流供給源を含んでいる、請求項２に記載の配列。
【請求項４】
前記バイアス電流および前記別の電流バイアスは、加算されて、前記駆動電流を構成する、請求項３に記載の配列。
【請求項５】
前記バイアス電流および前記別の電流バイアスは、減算されて、前記駆動電流を構成する、請求項３に記載の配列。
【請求項６】
前記変調器は、パルス幅変調器（ＰＷＭ）である、請求項１に記載の配列。
【請求項７】
前記レーザー供給源は、単一のレーザーであり、
前記スキャナは、一対の走査鏡を含んでおり、該一対の走査鏡は、前記方向の両方に沿って延びているそれぞれの軸の周りで振動可能である、請求項１に記載の配列。
【請求項８】
前記レーザーは、緑色を有するレーザービームを発する、請求項１に記載の配列。
【請求項９】
前記レーザー供給源は、それぞれのレーザービームを発する複数のレーザーを含んでおり、
前記コントローラは、前記複数のレーザーのうちの１つのレーザーのレーザービームを変調する、請求項１に記載の配列。
【請求項１０】
画像を投影面に投影するための配列であって、
該配列は、
赤色レーザービームを生成する赤色レーザー供給源と、
青色レーザービームを生成する青色レーザー供給源と、
緑色レーザービームを生成する緑色レーザー供給源と、
該レーザービームのうちの１つのレーザービームを変調するための音響信号へと画像データを変換する音響光学変調器（ＡＯＭ）であって、該ＡＯＭは、該１つのレーザービームが通過する結晶と、該音響信号を該結晶内の音響波に変換する音響変換器であって、画像データによって変調された、該１つの変調されたレーザービームを偏向させる音響変換器とを含んでいる、ＡＯＭと、
該レーザービームのうちの他のレーザービームを生成する該レーザー供給源に選択可能に加圧して、他のレーザービームを変調することにより、変調された他のレーザービームを形成するコントローラと、
該変調されたレーザービームを結合することにより合成ビームを形成するコンバイナと、
該合成ビームを掃引することにより、１つの方向に沿って入れて配置されている複数のピクセルを有する走査線を形成するスキャナであって、該１つの方向に略直交する別の方向に沿って該走査線を掃引することにより、投影面に走査線のラスターパターンを形成するスキャナと
を備えており、
該コントローラは、該走査線上の選択されたピクセルを照らすことにより、該投影面上に画像を形成するように作用する、配列。
【請求項１１】
前記スキャナは、一対の走査鏡を含んでおり、該一対の走査鏡は、前記方向の両方に沿って延びているそれぞれの軸の周りで振動可能である、請求項１０に記載の配列。
【手続補正書】
【提出日】平成20年2月4日(2008.2.4)
【手続補正１】
【補正対象書類名】特許請求の範囲
【補正対象項目名】全文
【補正方法】変更
【補正の内容】
【特許請求の範囲】
【請求項１】
穿刺機構の一部を囲む内部表面を有する主ハウジングであって、穿刺機構がシャフトにおよびシャフトの一部を取り囲む駆動ばねに取り付けられたランセットホルダを含み、駆動ばねがランセットホルダと内部表面との間に位置付けられ、穿刺機構が停止位置およびコッキング位置、ならびに穿刺位置の間を移動するように適合された主ハウジングと、
主ハウジングに隣接した可動ハウジングであって、停止位置からコッキング位置へ移動するように適合され、穿刺機構のシャフトの一部を囲む内部表面を有し、シャフトの囲まれた部分が、保持器と、シャフトの少なくとも一部分を取り囲む二次ばねとを有し、二次ばねが、保持器と可動ハウジングの内部表面との間に位置付けられる可動ハウジングとを含み、
二次ばねが、可動ハウジングをコッキング位置から停止位置へ移動させるように適合され、二次ばねがさらに、穿刺機構を穿刺位置から停止位置へ移動させるように適合された穿刺装置。
【請求項２】
二次ばねが、駆動ばねのばね定数未満のばね定数を有する、請求項１記載の穿刺装置。
【請求項３】
駆動ばねが、ランセットホルダまたは主ハウジングの内部表面に取り付けられていない、請求項１記載の穿刺装置。
【請求項４】
二次ばねが、シャフトの保持器または可動ハウジングの内部表面に取り付けられていない、請求項１記載の穿刺装置。
【請求項５】
二次ばねが、可動ハウジング内に収納されたシャフトの全体部を取り囲む、請求項１記載の穿刺装置。
【請求項６】
ランセットを制動する方法であって、
（ｉ）穿刺機構の一部を囲む内部表面を有する主ハウジングであって、穿刺機構がシャフトにおよびシャフトの一部を取り囲まれた駆動ばねが取り付けられたランセットホルダを含み、駆動ばねがランセットホルダと内部表面との間に位置付けされ、穿刺機構が停止位置およびコッキング位置、ならびに穿刺位置の間を移動するように適合された主ハウジングと、
（ｉｉ）主ハウジングに隣接した可動ハウジングであって、可動ハウジングが停止位置からコッキング位置へ移動するように適合され、穿刺機構のシャフトの一部を取り囲む内部表面を有し、シャフトの取り囲まれた部分が、保持器と、シャフトの少なくとも一部分を取り囲む二次ばねとを有し、二次ばねが、保持器と可動ハウジングの内部表面との間に位置付けされる可動ハウジングと
を含む穿刺装置を備える動作と、
可動ハウジングを主ハウジングから離してコッキング位置へ移動することにより、駆動ばねおよび二次ばねを縮める動作と、
二次ばねをひろげ、可動ハウジングをコッキング位置から主ハウジングに隣接する停止位置へ移動させる動作と、
駆動ばねを作動し、ランセットホルダをコッキング位置から穿刺位置へ移動させる動作と、
ランセットホルダがコッキング位置から穿刺位置へ移動するに従い、二次ばねを再度縮める動作と、
二次ばねを再度縮め、ランセットホルダを穿刺位置から停止位置へ移動させる動作と
を含む方法。
【請求項７】
ランセットホルダがコッキング位置から穿刺位置に移動するに従い、ランセットホルダに加えられる力を調整するため、駆動ばねと二次ばねとの間のばね率を調整する動作をさらに含む、請求項６記載の方法。
【請求項８】
駆動ばねが、ランセットホルダまたは主ハウジングの内部表面に取り付けられていない、請求項６記載の方法。
【請求項９】
二次ばねが、シャフトの保持器または可動ハウジングの内部表面に取り付けられていない、請求項６記載の方法。
【請求項１０】
二次ばねが駆動ばねのばね定数未満のばね定数を有する、請求項６記載の方法。